(57)【要約】無線アクセス・ネットワーク（ＷＬＡＮ）内に常駐するユーザ装置（ＵＥ）が、少なくとも１つの他のネットワークにアクセスするための方法。該方法は、ユーザ装置内に、少なくとも１つの他のネットワーク（訪問先ＰＬＭＮ１乃至３およびホームＰＬＭＮ４および５）のＩＤ（ＳＳＩＤ）を格納するステップと、少なくとも１つの他のネットワークのうちの少なくとも１つのネットワークのＩＤを含む少なくとも１つの他のネットワークの１つに対する接続要求を、ユーザ装置から無線アクセス・ネットワークに送信するステップと、ＩＤを受信する無線アクセス・ネットワークに応じて、ユーザ装置が、無線アクセス・ネットワークを通して、識別された少なくとも１つの他のネットワークに接続されるステップとを含む。【特許請求の範囲】
【請求項１】
無線アクセス・ネットワーク内に常駐するユーザ装置が、少なくとも１つの他のネットワークにアクセスするための方法であって、
前記ユーザ装置内に前記少なくとも１つの他のネットワークのＩＤを格納するステップと、
前記ユーザ装置から、前記少なくとも１つの他のネットワークのうちの少なくとも１つのネットワークのＩＤを含む前記少なくとも１つの他のネットワークのうちの１つに対する接続要求を前記無線アクセス・ネットワークに送信するステップと、
前記ＩＤを受信する前記無線アクセス・ネットワークに応じて、前記ユーザ装置が、前記無線アクセス・ネットワークを通して識別された前記少なくとも１つの他のネットワークに接続されるステップと、を含むことを特徴とする方法。
【請求項２】
前記少なくとも１つの他のネットワークのＩＤは、その中に格納する前に、前記無線アクセス・ネットワークから前記ユーザ装置に送信されることを特徴とする、請求項１に記載の方法。
【請求項３】
前記ユーザ装置は、前記少なくとも１つの他のネットワークの１つへの接続要求の前に、前記無線アクセス・ネットワークから前記少なくとも１つのネットワークのＩＤを要求することを特徴とする、請求項１または２に記載の方法。
【請求項４】
前記少なくとも１つの他のネットワークは、ホーム・ネットワークであることを特徴とする、請求項１乃至３の何れかに記載の方法。
【請求項５】
前記少なくとも１つの他のネットワークは、ローミング・ネットワークであることを特徴とする、請求項１乃至３の何れかに記載の方法。
【請求項６】
前記少なくとも１つの他のネットワークのＩＤは、前記少なくとも１つの他のネットワークを公衆陸上移動通信網として識別するＩＥＥＥ８０２．１１（ａまたはｂ）により、サービス・セット識別子に内蔵されることを特徴とする、請求項１乃至５の何れかに記載の方法。
【請求項７】
前記サービス・セット識別子は、ネットワーク・タイプを公衆陸上移動通信網として識別するフィールドと、前記少なくとも１つの公衆陸上移動通信網が位置する国コードを識別するフィールドと、接続要求が経路指示される少なくとも１つの公衆陸上移動通信網を識別するフィールドとを含む複数のフィールドを含むことを特徴とする、請求項６に記載の方法。
【請求項８】
前記少なくとも１つのネットワークのＩＤは、前記少なくとも１つの他のネットワークを公衆陸上移動通信網以外のネットワーク・タイプとして識別するＩＥＥＥ８０２．１１（ａまたはｂ）により、サービス・セット識別子に内蔵されることを特徴とする、請求項１乃至５の何れかに記載の方法。
【請求項９】
前記サービス・セット識別子は、前記少なくとも１つの他のネットワークのネットワーク・タイプを定義するフィールドと、前記少なくとも１つの他のネットワークを識別するフィールドとを含む複数のフィールドを含むことを特徴とする、請求項８に記載の方法。
【請求項１０】
ＵＥが、アクセス・ネットワークを通して、少なくとも１つの他のネットワークにアクセスするための方法であって、前記少なくとも１つの他のネットワークは前記アクセス・ネットワークを通してアクセスすることができ、前記方法は、
前記アクセス・ネットワークに前記少なくとも１つの他のネットワークに関連する少なくとも１つのアクセス・ネットワークＩＤを提供するステップと、
前記ＵＥが、前記少なくとも１つのアクセス・ネットワークＩＤから前記少なくとも１つの他のネットワークのＩＤを入手するステップと、を含むことを特徴とする方法。
【請求項１１】
前記ユーザ装置は、前記少なくとも１つの他のネットワークとの接続を確立した場合、前記少なくとも１つのアクセス・ネットワークＩＤを使用することを特徴とする、請求項１０に記載の方法。
【請求項１２】
前記アクセス・ネットワークは、ＵＥの接続を、前記少なくとも１つのネットワークＩＤに関連する少なくとも１つの他のネットワークに経路指示することを特徴とする、請求項１０または１１に記載の方法。
【請求項１３】
前記少なくとも１つのアクセス・ネットワークＩＤは、前記アクセス・ネットワークへ前記ＵＥが接続される前に、前記アクセス・ネットワークから前記ＵＥに送信されることを特徴とする、請求項１０乃至１２の何れかに記載の方法。
【請求項１４】
前記ＵＥは、前記ＵＥを前記アクセス・ネットワークに接続する前に、前記アクセス・ネットワークが使用した少なくとも１つのアクセス・ネットワークＩＤを入手することを特徴とする、請求項１３に記載の方法。
【請求項１５】
前記アクセス・ネットワークＩＤは、少なくとも１つのフィールドを含むことを特徴とする、請求項１４に記載の方法。
【請求項１６】
前記少なくとも１つの他のネットワークは、ＰＬＭＮネットワークであることを特徴とする、請求項１０乃至１５の何れかに記載の方法。
【請求項１７】
前記少なくとも１つの他のネットワークは、ホームＰＬＭＮネットワークに接続しているローミングＰＬＭＮネットワークであることを特徴とする、請求項１０乃至１５の何れかに記載の方法。
【請求項１８】
前記アクセス・ネットワークは、ＷＬＡＮであることを特徴とする、請求項１０乃至１５の何れかに記載の方法。
【請求項１９】
前記アクセス・ネットワークＩＤは、ＩＥＥＥ８０２．１１のａまたはｂによるサービス・セット識別子に内蔵されることを特徴とする、請求項１０乃至１８の何れかに記載の方法。
【請求項２０】
前記アクセス・ネットワークＩＤは、前記少なくとも１つの他のネットワークのＰＬＭＮ  ＩＤにマッピングされることを特徴とする、請求項１０乃至１９の何れかに記載の方法。
【請求項２１】
バックボーン・ネットワークの少なくとも１つの識別子を含むアクセス・ネットワーク内で配信されるサービス・セット識別子であって、
バックボーン・ネットワーク・タイプの表示と、
サービス・セット識別子タイプのバージョン番号と、
前記バックボーン・ネットワークのＩＤと、を含むことを特徴とするサービス・セット識別子。
【請求項２２】
前記バックボーン・ネットワークが公衆陸上移動通信網である場合に、前記バックボーン・ネットワークのＩＤは、前記バックボーン・ネットワークが位置する国に対応する国コードと、前記バックボーン・ネットワークを識別するネットワーク・コードとを含むことを特徴とする、請求項２１に記載のサービス・セット識別子。
【請求項２３】
前記アクセス・ネットワークは、無線ローカル・エリア・ネットワーク（ＷＬＡＮ）であることを特徴とする、請求項２１または２２に記載のサービス・セット識別子。
【請求項２４】
アクセス・ネットワーク内で配信されるサービス・セット識別子であって、
前記アクセス・ネットワークへ接続するためのバックボーン・ネットワークの埋め込みＩＤを含むことを特徴とするサービス・セット識別子。
【請求項２５】
前記サービス・セット識別子は、所定の構造に適合することを特徴とする、請求項２４に記載のサービス・セット識別子。
【請求項２６】
前記バックボーン・ネットワークが公衆陸上移動通信網である場合に、前記バックボーン・ネットワークのＩＤは、前記バックボーン・ネットワークが位置する国に対応する国コードと、前記バックボーン・ネットワークを識別するネットワーク・コードとを含むことを特徴とする、請求項２４または２５に記載のサービス・セット識別子。
【請求項２７】
前記アクセス・ネットワークは、無線ローカル・エリア・ネットワーク（ＷＬＡＮ）であることを特徴とする、請求項２４乃至２６の何れかに記載のサービス・セット識別子。
【請求項２８】
前記要求は、前記少なくとも１つの他のネットワークまたはネットワーク・タイプのＩＤの一部としてワイルドカードを含むことを特徴とする、請求項３に記載の方法。
【請求項２９】
無線アクセス・ネットワークと、
前記無線アクセス・ネットワークを通してアクセスすることができる少なくとも１つの他のネットワークと、
前記無線アクセス・ネットワーク内に常駐するユーザ装置と、を備え、
前記少なくとも１つの他のネットワークのＩＤは、前記ユーザ装置内に格納され、前記少なくとも１つの他のネットワークのうちの少なくとも１つのネットワークのＩＤを含む前記少なくとも１つの他のネットワークのうちの１つへの接続要求が、前記ユーザ装置から前記無線アクセス・ネットワークに送信され、前記ＩＤを受信する前記無線アクセス・ネットワークに応じて、前記ユーザ装置は、前記無線アクセス・ネットワークを通して、前記識別した少なくとも１つの他のネットワークに接続されることを特徴とするシステム。
【請求項３０】
前記少なくとも１つの他のネットワークのＩＤは、その中に格納する前に、前記無線アクセス・ネットワークから前記ユーザ装置に送信されることを特徴とする、請求項２９に記載のシステム。
【請求項３１】
前記ユーザ装置は、前記少なくとも１つの他のネットワークのうちの１つへの接続を要求する前に、前記無線アクセス・ネットワークから前記少なくとも１つのネットワークのＩＤを要求することを特徴とする、請求項２９または３０に記載のシステム。
【請求項３２】
前記少なくとも１つの他のネットワークは、ホーム・ネットワークであることを特徴とする、請求項２９乃至３１の何れかに記載のシステム。
【請求項３３】
前記少なくとも１つの他のネットワークは、ローミング・ネットワークであることを特徴とする、請求項２９乃至３１の何れかに記載のシステム。
【請求項３４】
ネットワーク・タイプを公衆陸上移動通信網として識別するフィールドと、前記少なくとも１つの公衆陸上移動通信網が位置する国コードを識別するフィールドと、接続要求が経路指示される少なくとも１つの公衆陸上移動通信網を識別するフィールドと、を含む複数のフィールドを含むサービス・セット識別子を含むことを特徴とする、請求項３３に記載のシステム。
【請求項３５】
前記少なくとも１つのネットワークのＩＤは、前記少なくとも１つの他のネットワークを公衆陸上移動通信網以外のネットワーク・タイプであると識別するＩＥＥＥ８０２．１１のａまたはｂにより前記サービス・セット識別子に内蔵されることを特徴とする、請求項３４に記載のシステム。
【請求項３６】
前記サービス・セット識別子は、前記少なくとも１つの他のネットワークのネットワーク・タイプを定義するフィールドと、前記少なくとも１つの他のネットワークを識別するフィールドとを含む複数のフィールドを含むことを特徴とする、請求項３５に記載のシステム。
【請求項３７】
無線アクセス・ネットワークと、
前記無線アクセス・ネットワークを通してアクセスすることができる少なくとも１つの他のネットワークと、
ユーザ装置と、を含み、
前記アクセス・ネットワークは、前記少なくとも１つの他のネットワークに関連する少なくとも１つのアクセス・ネットワークＩＤを含み、前記ＵＥは、前記少なくとも１つのアクセス・ネットワークＩＤから前記少なくとも１つの他のネットワークのＩＤを入手することを特徴とするシステム。
【請求項３８】
前記ユーザ装置は、前記少なくとも１つの他のネットワークとの接続を確立した場合、少なくとも１つのアクセス・ネットワークＩＤを使用することを特徴とする、請求項３７に記載のシステム。
【請求項３９】
前記アクセス・ネットワークは、前記ＵＥの接続を、前記少なくとも１つのアクセス・ネットワークＩＤに関連する少なくとも１つの他のネットワークに経路指示することを特徴とする、請求項３７または３８に記載のシステム。
【請求項４０】
前記少なくとも１つのアクセス・ネットワークＩＤは、前記アクセス・ネットワークに前記ＵＥを接続する前に、前記アクセス・ネットワークから前記ＵＥに送信されることを特徴とする、請求項３７乃至３９の何れかに記載のシステム。
【請求項４１】
前記少なくとも１つのアクセス・ネットワークＩＤは、少なくとも１つのフィールドを含むことを特徴とする、請求項３７乃至４０の何れかに記載のシステム。
【請求項４２】
前記少なくとも１つの他のネットワークは、ＰＬＭＮネットワークであることを特徴とする、請求項３７乃至４１の何れかに記載のシステム。
【請求項４３】
前記少なくとも１つの他のネットワークは、ホームＰＬＭＮネットワークに接続しているローミングＰＬＭＮネットワークであることを特徴とする、請求項３７乃至４１の何れかに記載のシステム。
【請求項４４】
前記アクセス・ネットワークはＷＬＡＮであることを特徴とする、請求項３７乃至４１の何れかに記載のシステム。
【請求項４５】
前記アクセス・ネットワークＩＤは、ＩＥＥＥ８０２．１１のａまたはｂにより、サービス・セット識別子に内蔵されることを特徴とする、請求項３７乃至４４の何れかに記載のシステム。
【請求項４６】
前記アクセス・ネットワークＩＤは、前記少なくとも１つの他のネットワークのＰＬＭＮ  ＩＤにマッピングされることを特徴とする、請求項３７乃至４１の何れかに記載のシステム。
【発明の詳細な説明】
【技術分野】
【０００１】
本発明は、無線ローカル・エリア・ネットワーク（ＷＬＡＮ）などのアクセス・ネットワークにおけるユーザ装置（ＵＥ）によりネットワークを選択するためのシステムおよび方法に関する。
【背景技術】
【０００２】
ＷＬＡＮ仕様（その全文を参照により本明細書に組み込むものとするＩＥＥＥ８０２．１１ａおよびｂ）においては、ＷＬＡＮは、ＷＬＡＮに接続することができるネットワークのサービス・セット識別子（ＳＳＩＤ）（長さ３２オクテット）についてＵＥに通知することができる。通常、ＷＬＡＮシステムにおいては、ＷＬＡＮ  ＳＳＩＤフィールドは、「ネットワーク名」を含む。このネットワーク名は、ＷＬＡＮプロバイダが自由に選択することができるＡＳＣＩＩストリングである。このネットワーク名は、通常、「ＷＬＡＮ  ＮＷ  ＸＹＺ」または「Ｍｒ．Ｓｍｉｔｈ  ＷＬＡＮ」または「ＮＯＫＩＡ  ＷＬＡＮ」のような形をしている。これらのタイプの名前は、接続するネットワークを選択するためにユーザが手動で使用する。しかし、このように使用するためには、ある名前を有するネットワークの機能を予め知っていなければならない。このタイプの使用は、ユーザが、少数のＷＬＡＮネットワークに通常いつでも接続している専用ネットワークの場合に使用することができる。
【０００３】
しかし、ユーザは、すべてのＷＬＡＮネットワーク名（ＳＳＩＤ）およびその機能全体について知ることはできない。それ故、ユーザは、最善のネットワークを選択することができないし、または供給されたネットワーク名のリストから実行できる好きなネットワークを自由に選択することができない。
【０００４】
セルラー・システムにおいては、ネットワーク選択は、その公衆陸上移動電話（ＰＬＭＮ）ＩＤを同報通信しているセルラー・ネットワークにより行われる。ＵＥは、ＧＳＭ加入者識別モジュール（ＳＩＭ）、またはオペレータまたはユーザによる汎用加入者識別モジュール（ＵＳＩＭ）内に格納している優先順位に基づいて自動的にネットワークの選択を行う。ＵＥを使用することにより、ＵＥが使用可能なＰＬＭＮをブラウズした場合に、ユーザは手動で選択を行うことができる。ＵＥは、ＰＬＭＮを内部メモリからユーザがよく知っているネットワーク名に変換し、ユーザは所望のネットワークを選択する。
【０００５】
ＧＳＭシステムおよびＧＰＲＳシステムにおいては、ＰＬＭＮ−ＩＤは、ＵＥ内に格納している情報に基づいて、商標付きのネットワークにリンクされる。
【発明の開示】
【発明が解決しようとする課題】
【０００６】
本発明は、アクセス・ネットワークを通して他のネットワークへの接続を選択するために、ＷＬＡＮなどのアクセス・ネットワーク内に常駐するＵＥのための機構を提供する。選択は下記のように行われる。
１．ＷＬＡＮアクセス・ポイント（ＡＰ）は、ＷＬＡＮアクセス・ゾーン（ＡＺ）を通してアクセスすることができる使用可能なバックボーン・ネットワーク（例えば、国内ＰＬＭＮ）のＵＥへの表示を提供するためにＳＳＩＤを同報通信する。
２．ＵＥは、ユーザが介入することにより手動で、または自動的にアクセス・ネットワークを選択することができる。自動選択は、信号強度および好ましいＰＬＭＮの利用度、または他の好ましいバックボーン・ネットワークの利用度に基づいて行われる。
３．ＵＥは、使用可能なＳＳＩＤに基づいてバックボーン・ネットワークを選択する。ＰＬＭＮ−ＩＤを含むＳＳＩＤは、ＷＬＡＮ  ＵＥクライアント・ソフトウェア内に格納している情報に基づいて、商標付きネットワークにリンクさせることができる。
４．あるネットワークに接続した場合、ＵＥは、ネットワークに送信したネットワーク・アクセス識別子（ＮＡＩ）ユーザＩＤの領域部分内に、選択したローミング・ネットワーク（例えば、ＰＬＭＮ）を表示する。
５．ＷＬＡＮアクセス・ネットワークは、選択したＳＳＩＤから入手した添付ＮＡＩユーザＩＤ領域部分に基づいて、接続の確立をバックボーン・ネットワーク（例えば、訪問先ＰＬＭＮ）に経路指示する。
【課題を解決するための手段】
【０００７】
無線アクセス・ネットワーク内に常駐するユーザ装置が少なくとも１つの他のネットワークにアクセスするための方法は、ユーザ装置内に少なくとも１つの他のネットワークのＩＤを格納するステップと、上記少なくとも１つの他のネットワークのうちの少なくとも１つのネットワークのＩＤを含む上記少なくとも１つの他のネットワークのうちの１つに対する接続要求をユーザ装置から無線アクセス・ネットワークに送信するステップと、ＩＤを受信する無線アクセス・ネットワークに応じて、ユーザ装置が、無線アクセス・ネットワークを通して、識別された少なくとも１つの他のネットワークに接続されるステップとを含む。上記少なくとも１つのネットワークのうちの１つへの接続要求には、上記少なくとも１つの他のネットワークまたはネットワーク・タイプのうちの少なくとも１つのネットワークのＩＤは、他のネットワークまたは選択することができるネットワーク・タイプのうちの複数の使用できる組合わせを表すワイルドカードを含むことができる。少なくとも１つの他のネットワークのＩＤは、そこに格納する前に、無線アクセス・ネットワークからユーザ装置に送信することができる。少なくとも１つの他のネットワークは、ホーム・ネットワークであってもよいし、またはローミング・ネットワークであってもよい。ユーザ装置は、少なくとも１つのネットワークのうちの１つへの接続を要求する前に、無線アクセス・ネットワークから少なくとも１つのネットワークのＩＤを要求する。少なくとも１つの他のネットワークのＩＤは、少なくとも１つの他のネットワークを公衆陸上移動通信網として識別するＩＥＥＥ８０２．１１（ａまたはｂ）によるサービス・セット識別子に内蔵させることができる。サービス・セット識別子は、ネットワーク・タイプを公衆陸上移動通信網として識別するネットワーク・タイプを識別するフィールドと、少なくとも１つの公衆陸上移動通信網が位置する国コードを識別するフィールドと、接続要求が経路指示される少なくとも１つの公衆陸上移動通信網を識別するフィールドとを含む複数のフィールドを含むことができる。少なくとも１つのネットワークのＩＤは、少なくとも１つの他のネットワークを、公衆陸上移動通信網以外のネットワーク・タイプであると識別するＩＥＥＥ８０２．１１（ａまたはｂ）によるサービス・セット識別子に内蔵させることができ、サービス・セット識別子は、少なくとも１つの他のネットワークのネットワーク・タイプを定義するフィールド、および少なくとも１つの他のネットワークを識別するフィールドを含む複数のフィールドを含むことができる。
【０００８】
他の態様によれば、本発明は、ＵＥが、アクセス・ネットワークを通して少なくとも１つの他のネットワークにアクセスするための方法を提供する。少なくとも１つの他のネットワークは、アクセス・ネットワークを通してアクセスすることができる。この方法は、少なくとも１つの他のネットワークに関連する少なくとも１つのアクセス・ネットワークＩＤをアクセス・ネットワークに供給するステップを含み、ＵＥは、少なくとも１つのアクセス・ネットワークＩＤから、少なくとも１つの他のネットワークのＩＤを入手する。ユーザ装置は、少なくとも１つの他のネットワークとの接続を確立した場合、少なくとも１つのアクセス・ネットワークＩＤを使用することができる。アクセス・ネットワークは、ＵＥの接続を少なくとも１つのアクセス・ネットワークＩＤに関連する少なくとも１つの他のネットワークに経路指示することができる。少なくとも１つのアクセス・ネットワークＩＤは、アクセス・ネットワークへＵＥが接続する前に、アクセス・ネットワークからＵＥに送信することができる。ＵＥは、接続の前にアクセス・ネットワークが使用する少なくとも１つのアクセス・ネットワークＩＤを入手することができ、アクセス・ネットワークＩＤは、少なくとも１つのフィールドを含むことができる。少なくとも１つの他のネットワークは、公衆陸上移動通信網（ＰＬＭＮ）であってもよい。少なくとも１つの他のネットワークは、ホームＰＬＭＮネットワークに接続しているローミングＰＬＭＮネットワークであってもよい。アクセス・ネットワークは、ＷＬＡＮであってもよい。アクセス・ネットワークＩＤは、ＩＥＥＥ８０２．１１（ａまたはｂ）により、サービス・セット識別子に内蔵させることができる。アクセス・ネットワークＩＤは、少なくとも１つの他のネットワークのＰＬＭＮ  ＩＤにマッピングすることができる。
【０００９】
他の態様によれば、本発明は、バックボーン・ネットワークの少なくとも１つの識別子を含むアクセス・ネットワーク内で配信されるサービス・セット識別子を提供する。サービス・セット識別子は、バックボーン・ネットワーク・タイプの表示、サービス・セット識別子タイプのバージョン番号、およびバックボーン・ネットワークのＩＤを含む。バックボーン・ネットワークがＰＬＭＮである場合には、バックボーン・ネットワークのＩＤは、バックボーン・ネットワークが位置する国に対応する国コード、およびバックボーン・ネットワークを識別するネットワーク・コードを含む。さらに、アクセス・ネットワークはＷＬＡＮである。
【００１０】
本発明によるアクセス・ネットワークで配信されるサービス・セット識別子は、アクセス・ネットワークに接続するためのバックボーン・ネットワークの埋め込みＩＤを含む。サービス・セット識別子は、所定の構造に適合することができる。バックボーン・ネットワークが公衆陸上移動通信網である場合には、バックボーン・ネットワークのＩＤは、バックボーン・ネットワークが位置する国に対応する国コード、およびバックボーン・ネットワークを識別するネットワーク・コードを含む。アクセス・ネットワークは、無線ローカル・エリア・ネットワークであってもよい。
【００１１】
本発明によるシステムは、無線アクセス・ネットワーク、無線アクセス・ネットワークを通してアクセスすることができる少なくとも１つの他のネットワーク、無線アクセス・ネットワーク内に常駐するユーザ装置を含み、少なくとも１つの他のネットワークのＩＤは、ユーザ装置内に格納され、少なくとも１つの他のネットワークのうちの少なくとも１つのネットワークのＩＤを含む少なくとも１つの他のネットワークのうちの１つへの接続要求は、ユーザ装置から無線アクセス・ネットワークに送信され、ＩＤを受信する無線アクセス・ネットワークに応じて、ユーザ装置は、無線アクセス・ネットワークを通して、識別した少なくとも１つの他のネットワークに接続される。少なくとも１つの他のネットワークのＩＤは、その中に格納する前に、無線アクセス・ネットワークからユーザ装置に送信することができる。ユーザ装置は、少なくとも１つの他のネットワークのうちの１つへの接続を要求する前に、無線アクセス・ネットワークから少なくとも１つのネットワークのＩＤを要求することができる。少なくとも１つの他のネットワークは、ホーム・ネットワークであってもよいし、またはローミング・ネットワークであってもよい。サービス・セット識別子は、ネットワーク・タイプを公衆陸上移動通信網として識別するネットワーク・タイプを識別するフィールドと、少なくとも１つの公衆陸上移動通信網が位置する国コードを識別するフィールドと、接続要求が経路指示される少なくとも１つの公衆陸上移動通信網を識別するフィールドとを含む複数のフィールドを含むことができる。少なくとも１つのネットワークのＩＤは、少なくとも１つの他のネットワークを公衆陸上移動通信網以外のネットワーク・タイプであると識別するＩＥＥＥ８０２．１１のａまたはｂによるサービス・セット識別子に内蔵させることができる。サービス・セット識別子は、少なくとも１つの他のネットワークのネットワーク・タイプを定義するフィールドと、少なくとも１つの他のネットワークを識別するフィールドとを含む複数のフィールドを含むことができる。
【００１２】
本発明によるシステムは、無線アクセス・ネットワークと、無線アクセス・ネットワークを通してアクセスすることができる少なくとも１つの他のネットワークと、ユーザ装置とを含み、上記アクセス・ネットワークは、少なくとも１つの他のネットワークに関連する少なくとも１つのアクセス・ネットワークＩＤを含んでいて、ＵＥは、少なくとも１つのアクセス・ネットワークＩＤから少なくとも１つの他のネットワークのＩＤを入手する。ユーザ装置は、少なくとも１つの他のネットワークとの接続を確立した場合、少なくとも１つのアクセス・ネットワークＩＤを使用することができる。アクセス・ネットワークは、ＵＥの接続を少なくとも１つのアクセス・ネットワークＩＤに関連する少なくとも１つの他のネットワークに経路指示することができる。少なくとも１つのアクセス・ネットワークＩＤは、アクセス・ネットワークにＵＥが接続する前に、アクセス・ネットワークからＵＥに送信することができる。アクセス・ネットワークＩＤは、少なくとも１つのフィールドを含むことができる。少なくとも１つの他のネットワークは、ＰＬＭＮネットワークであってもよい。少なくとも１つの他のネットワークは、ホームＰＬＭＮネットワークに接続しているローミングＰＬＭＮネットワークであってもよい。アクセス・ネットワークは、ＷＬＡＮであってもよい。アクセス・ネットワークＩＤは、ＩＥＥＥ８０２．１１のａまたはｂによるサービス・セット識別子に内蔵させることができる。アクセス・ネットワークＩＤは、少なくとも１つの他のネットワークのＰＬＭＮ  ＩＤにマッピングすることができる。
【発明を実施するための最良の形態】
【００１３】
図１について説明すると、ネットワーク選択は、下記の２つの部分を含む。
・ＷＬＡＮアクセス・ゾーンの選択
・訪問先ネットワーク（例えば、ＰＬＭＮ）の選択
【００１４】
ＷＬＡＮネットワーク・アクセス・ゾーンの選択は、下記のように行われる。  ＵＥは、常に、最初に、ＵＥのホーム・ロケーション・レジスタ（ＨＬＲ）を含むホームＰＬＭＮ４であるホーム・ネットワークに直接接続しようとする。ホーム・ネットワークが使用できない場合には、ＵＥは好ましいバックボーン・ネットワークを通して接続しようとする。バックボーン・ネットワークの選択は、自動的なものでも、ユーザが介入するものでも、ユーザ装置の要求によるものであってもよく、またはＵＥのユーザの手動によるものであってもよい。訪問先ＰＬＭＮ１および３から訪問先ＰＬＭＮ２へのＳＳＩＤの通信は、訪問先ＰＬＭＮ２に送信している矢印ＳＳＩＤ  ＰＬＭＮ１およびＳＳＩＤ  ＰＬＭＮ２により示す。訪問先ＰＬＭＮ２は、訪問先ＰＬＭＮ１およびＰＬＭＮ２のＩＤであるＳＳＩＤをＷＬＡＮアクセス・ゾーンに送信する。また、ＰＬＭＮ３のＩＤであるＳＳＩＤは、ＷＬＡＮアクセス・ゾーンに直接送られる。ＷＬＡＮアクセス・ゾーンへのＳＳＩＤの送信は直接行うことができる。各訪問先ＰＬＭＮ１乃至３およびホームＰＬＭＮ５は、アクセス層ＡＳを有する。
【００１５】
使用可能なバックボーン・ネットワークに関する情報は、ＷＬＡＮ  ＡＰによりＷＬＡＮ  ＳＳＩＤの形でＵＥに送られる。
【００１６】
ＵＥは、各ＳＳＩＤをバックボーン・ネットワークにマッピングすることができる。次に、ＵＥは、接続したい使用可能なバックボーン・ネットワークを選択することができる。［この選択は、自動的に、ユーザ介入で、またはユーザが手動で行うことができる。］選択後、ＵＥは、選択したバックボーン・ネットワークに対応するＳＳＩＤを使用して、訪問先ＰＬＭＮ２のようなアクセス・ネットワークと関連する。
【００１７】
ＳＳＩＤは、国および／またはネットワーク・タイプの指定で、「ワイルドカード」を使用することができる。ワイルドカードは、国のグループ、または特定のタイプのネットワークのグループからの国またはネットワーク・タイプのような特性のグループからの特性を特徴とする任意のネットワークの選択を示す。例えば、指定は、ＰＬＭＮタイプおよび国コードが固定されている「フィンランドの任意のタイプ１のＰＬＭＮ」であってもよいが、移動ネットワーク・コードは、任意の移動ネットワークを指定するワイルドカードにより置き換えられる。テキストの形の場合には、「ワイルドカード」は、「？」、「＋」または「＊」のような種々の文字であってもよい。このような種々の文字は、合意したワイルドカード指定意味を有していて、そのため国および／またはネットワーク・タイプ指定のような特性表示を特徴とするネットワークの代わりにこのような文字を使用すると、特定の国の特定のタイプのネットワークのグループ内の任意の国および／または任意のネットワークを使用できることを示す。例えば、ＳＳＩＤが任意の国の「任意のオレンジＰＬＭＮ」を意味することを示すために、国コードの代わりにワイルドカードを使用することができる。
【００１８】
アクセス・ネットワーク（図では訪問先ＰＬＭＮ２）は、この接続を、さらに、選択したＳＳＩＤに基づいて、訪問先ＰＬＭＮ１またはホームＰＬＭＮ４または５のような正しいバックボーン・ネットワークに経路指示する。例えば、バックボーン・ネットワークに関連する各ＳＳＩＤの場合には、アクセス・ネットワークとバックボーン・ネットワーク間のすべてのデータを転送するために、トンネル転送（ｔｕｎｎｅｌｉｎｇ）を使用することができる。それ故、バックボーン・ネットワークへのおよびからの経路指示は、トンネル・マッピングと見なすことができる。トンネルは、例えば、ＧＲＥトンネルであっても、仮想ＬＡＮであっても、Ｌ２ＴＰであっても、専用層３接続であっても、または任意の他の類似のトランスポート機構であってもよい。
【００１９】
もう１つの例示としての実施形態の場合には、バックボーン・ネットワークに関連する各ＳＳＩＤを、遠隔認証ダイヤルイン・ユーザ・サーバ（ＲＡＤＩＵＳ）領域名、またはバックボーン・ネットワーク内のＡＡＡサーバをポイントしているＤＩＡＭＥＴＥＲ領域名のような、認証、許可および会計（ＡＡＡ）領域名に自動的に変換することができる。領域名エンティティは、訪問先ＰＬＭＮ１乃至３およびホームＰＬＭＮ５内にＡＡＡプロキシとして存在する。下記の例においては、ＲＡＤＩＵＳは、例示としてのＡＡＡ法として使用される。
【００２０】
ＵＥがＳＳＩＤを選択した場合には、ＵＥは、選択したＳＳＩＤからＲＡＤＩＵＳ領域を生成し、この領域をネットワーク・アクセス識別子（ＮＡＩ）フォーマットに適合するユーザＩＤの末尾に追加する。連結ユーザＩＤは、ＮＡＩフォーマットに適合するので、認証は最初に選択したバックボーン・ネットワークに経路指示される。バックボーン・ネットワークは、元のＮＡＩから連結部分を分離し、訪問先ＰＬＭＮ２から訪問先ＰＬＭＮ１およびホームＰＬＭＮ４または５のうちの一方への接続のように、ＵＥが接続したい少なくとも１つの追加のネットワークに信号をさらに転送する。
【００２１】
Ｉ．識別子の使用
Ａ．ＳＳＩＤ値の設定
１．ＰＬＭＮバックボーン・ネットワークに対するＳＳＩＤ：
ＰＬＭＮがＷＬＡＮアクセス・ゾーンに対するバックボーン・ネットワークである場合には、そのＰＬＭＮをポイントしているＳＳＩＤは、例えば、下記のタイプのフォーマットであってもよい。
［ＰＬＭＮタイプのネットワークＳＳＩＤに対する予約語］［バージョン番号］［ＭＣＣ］[ＭＮＣ]［自由テキスト］
この場合、
・ＰＬＭＮタイプのネットワークＳＳＩＤに対する予約語は、他のＳＳＩＤからこのタイプのＳＳＩＤを識別する。
・バージョン番号により、将来フォーマットを変更することができる。
・移動国コード（ＭＣＣ）は、ＰＬＭＮ国コードである。
・移動ネットワーク・コード（ＭＮＣ）は、ＰＬＭＮネットワーク・コードである。
・自由テキストは、例えば、ユーザがよく知っているネットワーク名を表示するために使用することができる。
ＳＳＩＤフィールドの実際の内容は、上記ものから変更することができ、表示された内容は、ＳＳＩＤフィールドの構成方法の例を示すためのものである。
２．非ＰＬＭＮバックボーン・ネットワークに対するＳＳＩＤ：
バックボーン・ネットワークがＰＬＭＮでない場合には、そのネットワークをポイントしているＳＳＩＤは下記のフォーマットであってもよい。
［非ＰＬＭＮタイプのネットワークＳＳＩＤに対する予約語］［バージョン番号］［ネットワーク名］
この場合、
・非ＰＬＭＮタイプのネットワークＳＳＩＤに対する予約語は、他のＳＳＩＤからこのタイプのＳＳＩＤを識別する。
・バージョン番号により、将来フォーマットを変更することができる。
・ネットワーク名は、バックボーン・ネットワークの名前である。
ＳＳＩＤ情報フィールドの実際の内容は変更することができ、表示された内容は無制限にＳＳＩＤフィールドの構成方法の例を示すためのものである。
【００２２】
ＩＩ．ＳＳＩＤの構成
Ａ．バックボーン・ネットワーク間の国内ＷＬＡＮローミング：
バックボーン・ネットワークが、同じＷＬＡＮ  ＡＺに直接接続していないもう１つのバックボーン・ネットワークと国内ローミング協定を結んでいる場合には、
・接続していないバックボーン・ネットワークのプロバイダは、そのＳＳＩＤを、接続しているバックボーン・ネットワークのプロバイダに供給することができる。
・接続しているバックボーン・ネットワークは、そのＳＳＩＤおよびＷＬＡＮアクセス・ゾーン（ＡＺ）への任意の国内ローミング・パートナー・ネットワークの受信したＳＳＩＤを更新することができる。
ＷＬＡＮ  ＡＰは、すべてのサポートしているＳＳＩＤをＷＬＡＮ  ＡＰ内のＳＳＩＤリストに格納することができる。
Ｂ．共有ＷＬＡＮアクセス・ゾーン：
共有ＷＬＡＮ  ＡＺは、ＷＬＡＮ  ＡＺプロバイダが、ＷＬＡＮアクセス・サービスを提供することについて、相互作用協定を結んでいるすべてのバックボーン・ネットワークが供給するすべてのＳＳＩＤを含むことができる。
ＷＬＡＮ  ＡＰは、すべてのサポートしているＳＳＩＤを、ＷＬＡＮ  ＡＰ内のＳＳＩＤリストに格納することができる。
【００２３】
ＵＥへのＳＳＩＤ情報の配信は、下記により行うことができる。
８０２．１１ｂビーコン・フレームにおいては、ＷＬＡＮ  ＵＥは、ビーコンＳＳＩＤだけを受信する。このＳＳＩＤは、上記フォーマットのものでよいので、ＵＥによるバックボーン・ネットワーク選択のためにすでに使用したものでもよい。ＵＥは、また、ネットワークとの将来の関連を容易にするための同報通信ＳＳＩＤに基づいて、好ましいネットワークを格納することができる。
【００２４】
ＵＥが、ＳＳＩＤ情報の能動的走査をサポートしている場合には、ＵＥは、好ましい順序で使用可能なネットワークの走査をスタートすることができる。
【００２５】
最初に、ＵＥは、そのホームＰＬＭＮ  ＳＳＩＤを走査することができる。ＷＬＡＮ  ＡＰから応答がない場合には、ＷＬＡＮ  ＵＥは、好ましいローミング・パートナーの走査をスタートすることができる。使用可能なローミング・パートナーを容易に推定できるように、ＵＥは、それが位置する国を推定することができる。
【００２６】
下記のことを行うことができる。
・ＵＥは、いつでも、最初に、それがその自国内に位置するものと仮定し、そのため国内ローミングＳＳＩＤを走査することができる。
・ＵＥは、最大頻度で訪問する国を格納することができ、走査するＳＳＩＤを選択するためにその情報を使用することができる。
・デュアル・モードＵＥは、取り付けセルラー・ネットワークをチェックし、走査するＳＳＩＤを選択するためにその情報を使用することができる。
・ＵＥは、ユーザにＷＬＡＮ  ＵＥがどの国内に位置しているのかを表示するように要求することができる。
・ＵＥは、使用可能なＳＳＩＤの走査をランダムにスタートすることができる。
ＷＬＡＮ  ＵＥは、また、固有のＳＳＩＤを探索する場合に、ワイルドカードを使用することもできる。例えば、ＷＬＡＮ  ＵＥは、任意のストリングが後に続く特定のストリングを含むＳＳＩＤの利用度を要求することができる。ＷＬＡＮ  ＵＥは、また、ＷＬＡＮ  ＡＰにすべてのサポートしているＳＳＩＤを表示するように要求することができる。
【００２７】
ＷＬＡＮアクセス・ネットワーク（ＡＮ）の選択
ＵＥは、信号強度に基づいて、またホームＰＬＭＮまたは好ましいバックボーン・ローミング・ネットワークＳＳＩＤの利用度に基づいて、ＷＬＡＮ  ＡＮを選択することができる。
ホーム・ネットワークＰＬＭＮ  ＩＤは、ＳＩＭまたはＵＳＩＭから入手することができるユーザ国際移動加入者識別（ＩＭＳＩ）から入手することができる。
好ましいローミングＰＬＭＮを選択するために、ＳＩＭまたはＵＳＩＭ内に格納しているＰＬＭＮの優先順位リストを使用することができる。
【００２８】
バックボーン・ネットワークの選択およびＵＥによる格納
ＵＥ支持ネットワーク選択は、ローミング・ネットワークの自動および／または手動選択を実施することができる。ローミング・ネットワークのＩＤは、格納するために無線アクセス・ネットワークからＵＥに送信することができ、ユーザ装置からの要求に応じることができる。ローミング・ネットワークのＩＤは、ＩＥＥＥ８０２．１１のａまたはｂにより、サービス・セット識別子に内蔵させることができる。
【００２９】
ＵＥによるユーザＩＤ  ＮＡＩ領域部の設定
拡張可能な認証プロトコル（ＥＡＰ）識別応答を送信する前に、ＵＥは、接続を行うバックボーン・ネットワークを選択することができる。
ＵＥがこの機能をサポートしていない場合には、ＵＥは、そのホーム・ネットワーク領域を使用し、ホームＰＬＭＮ  ＡＡＡプロキシ・サーバへの識別のＲＡＤＩＵＳ経路指示の決定は実施前に行われる。
ＷＬＡＮ  ＵＥが、ローミング・ネットワーク選択をサポートしている場合には、ＵＥは、使用可能なバックボーン・ネットワークのどれに、ＷＬＡＮ  ＡＮがユーザを向けることができるのかを選択することができる。選択の結果は、使用した領域部分で下記のように見ることができる。
ホーム・ネットワークが割り当てた元のユーザＩＤの代わりに：
［ユーザＩＤ］＠［ホームＡＳ領域］
ＵＥは、ＥＡＰ識別応答で下記のユーザＩＤを使用することができる：
［ユーザＩＤ］＠［ホームＡＳ領域］．［選択したバックボーン・ネットワークＳＳＩＤ］．［ＯＷＬＡＮ．ＯＲＧ］
【００３０】
ネットワークＲＡＤＩＵＳプロキシによるＲＡＤＩＵＳ経路指示
上記ユーザＮＡＩを受信するＲＡＤＩＵＳプロキシは、その「ＲＡＤＩＵＳ経路指示テーブル」からメッセージの経路指示をチェックする。この経路指示は、領域の「最上位ビット」に基づいて、すなわち挿入した［選択したバックボーン・ネットワークＳＳＩＤ］．［ＯＷＬＡＮ．ＯＲＧ］部により行われる。
ＲＡＤＩＵＳアクセス要求が、［選択したバックボーン・ネットワークＳＳＩＤ］．［ＷＬＡＮ．ＯＲＧ］領域により識別されたＲＡＤＩＵＳサーバに到着すると、ＲＡＤＩＵＳサーバは、挿入した部分を分離し、残りのＮＡＩに基づいてユーザの認証を行う。
【００３１】
別の方法としては、ＵＥは、バックボーン・ネットワーク選択とは無関係にそのユーザのＩＤとして、そのホーム・ネットワークＮＡＩをいつでも使用することができる。この場合、ＷＬＡＮ  ＵＥは、アクセス・ネットワークに接続した時に選択したＳＳＩＤを表示する。
次に、アクセス・ネットワークは、この接続をさらに使用したＳＳＩＤに関連するバックボーン・ネットワークに経路指示する。この経路指示は、例えば、アクセス・ネットワークと各バックボーン・ネットワーク間に予め構成したトンネルにより行うことができる。
【００３２】
実行するユーザ認証は、ＡＡＡローミング（プロキシ）またはユーザのホーム・ネットワークの方にローミングする移動アプリケーション部分（ＭＡＰ）を依然として含む。しかし、このさらなるローミングは、新しいＰＬＭＮ選択機能により影響を受けない。
【００３３】
本発明は、ＳＳＩＤフィールドを使用することにより、ＰＬＭＮ−ＩＤ（移動オペレータ・ネットワークを識別する）をＵＥへ供給することができる機構を提供する。
【００３４】
ＰＬＭＮ  ＩＤがＳＳＩＤフィールドに内蔵されている場合には、セルラー・システムと相互作用を行っている公衆ＷＬＡＮネットワークに対してセルラー・ネットワーク選択を行うことができる。このような選択により、ＷＬＡＮに対するグローバルなスケーラビリティおよび自動ネットワーク選択を行うことができる。
【００３５】
本発明を使用すれば、ＰＬＭＮ  ＩＤはＳＳＩＤフィールドに内蔵され、ＵＥまたはそのユーザによるネットワーク選択のために使用したＰＬＭＮ  ＩＤ情報のＵＥにアクセスすることにより認識を行うことができる。
【００３６】
ＵＥが、ＵＥとホーム・ネットワークの間のＥＡＰ信号と一緒に、選択したＳＳＩＤを含んでいる場合には、ホーム・ネットワークは、ＷＬＡＮ  ＡＺおよびローミング・パートナーが、ＵＥネットワーク選択の後に行われ、例えば、ローミング・パートナーに対して最高のローミング料金を与えるネットワークにその接続が経路指示されなかったことをチェックすることができる。ホーム・ネットワークは、ＵＥが挿入したＳＳＩＤから入手したＰＬＭＮ  ＩＤを、受信した認証要求の元のものと比較することができ、一致しない場合には、ＷＬＡＮアクセス・ネットワークまたはローミング・パートナーが正しく動作していないと判断する。
【図面の簡単な説明】
【００３７】
【図１】ローミング、相互作用および共有関係のその場の状態に依存するＳＳＩＤ関係を含む本発明を実行することができる例示としてのシステムを示す。
【図１】
2006503515.tif 000002
【手続補正書】
【提出日】平成16年8月30日(2004.8.30)
【手続補正１】
【補正対象書類名】特許請求の範囲
【補正対象項目名】全文
【補正方法】変更
【補正の内容】
【特許請求の範囲】
【請求項１】
無線アクセス・ネットワーク内に常駐するユーザ装置が、少なくとも１つの他のネットワークにアクセスするための方法であって、
前記ユーザ装置内に前記少なくとも１つの他のネットワークのＩＤを格納するステップと、
前記ユーザ装置から、前記少なくとも１つの他のネットワークのうちの少なくとも１つのネットワークのＩＤを含む前記少なくとも１つの他のネットワークのうちの１つに対する接続要求を前記無線アクセス・ネットワークに送信するステップと、
前記ＩＤを受信する前記無線アクセス・ネットワークに応じて、前記ユーザ装置が、前記無線アクセス・ネットワークを通して識別された前記少なくとも１つの他のネットワークに接続されるステップと、を含み、
前記無線アクセス・ネットワークは、前記ユーザ装置が前記少なくとも１つの他のネットワークにアクセスする前に、前記少なくとも１つの他のネットワークのＩＤを提供する少なくとも１つのネットワーク識別子を前記ユーザ装置に同報通信することを特徴とする方法。
【請求項２】
前記少なくとも１つの他のネットワークのＩＤは、その中に格納する前に、前記無線アクセス・ネットワークから前記ユーザ装置に送信されることを特徴とする、請求項１に記載の方法。
【請求項３】
前記ユーザ装置は、前記少なくとも１つの他のネットワークの１つへの接続要求の前に、前記無線アクセス・ネットワークから前記少なくとも１つのネットワークのＩＤを要求することを特徴とする、請求項１または２に記載の方法。
【請求項４】
前記少なくとも１つの他のネットワークは、ホーム・ネットワークであることを特徴とする、請求項１乃至３の何れかに記載の方法。
【請求項５】
前記少なくとも１つの他のネットワークは、ローミング・ネットワークであることを特徴とする、請求項１乃至３の何れかに記載の方法。
【請求項６】
前記少なくとも１つの他のネットワークのＩＤは、前記少なくとも１つの他のネットワークを公衆陸上移動通信網として識別するＩＥＥＥ８０２．１１（ａまたはｂ）により、サービス・セット識別子に内蔵されることを特徴とする、請求項１乃至５の何れかに記載の方法。
【請求項７】
前記サービス・セット識別子は、ネットワーク・タイプを公衆陸上移動通信網として識別するフィールドと、前記少なくとも１つの公衆陸上移動通信網が位置する国コードを識別するフィールドと、接続要求が経路指示される少なくとも１つの公衆陸上移動通信網を識別するフィールドとを含む複数のフィールドを含むことを特徴とする、請求項６に記載の方法。
【請求項８】
前記少なくとも１つのネットワークのＩＤは、前記少なくとも１つの他のネットワークを公衆陸上移動通信網以外のネットワーク・タイプとして識別するＩＥＥＥ８０２．１１（ａまたはｂ）により、サービス・セット識別子に内蔵されることを特徴とする、請求項１乃至５の何れかに記載の方法。
【請求項９】
前記サービス・セット識別子は、前記少なくとも１つの他のネットワークのネットワーク・タイプを定義するフィールドと、前記少なくとも１つの他のネットワークを識別するフィールドとを含む複数のフィールドを含むことを特徴とする、請求項８に記載の方法。
【請求項１０】
ＵＥが、アクセス・ネットワークを通して、少なくとも１つの他のネットワークにアクセスするための方法であって、前記少なくとも１つの他のネットワークは前記アクセス・ネットワークを通してアクセスすることができ、前記方法は、
前記アクセス・ネットワークに前記少なくとも１つの他のネットワークに関連する少なくとも１つのアクセス・ネットワークＩＤを提供するステップと、
前記ＵＥが、前記少なくとも１つのアクセス・ネットワークＩＤから前記少なくとも１つの他のネットワークのＩＤを入手するステップと、を含み、
前記ＵＥが前記少なくとも１つの他のネットワークへのアクセスを要求する前に、前記アクセス・ネットワークは、前記少なくとも１つの他のネットワークのＩＤを前記ＵＥに同報通信することを特徴とする方法。
【請求項１１】
前記ユーザ装置は、前記少なくとも１つの他のネットワークとの接続を確立した場合、前記少なくとも１つのアクセス・ネットワークＩＤを使用することを特徴とする、請求項１０に記載の方法。
【請求項１２】
前記アクセス・ネットワークは、ＵＥの接続を、前記少なくとも１つのネットワークＩＤに関連する少なくとも１つの他のネットワークに経路指示することを特徴とする、請求項１０または１１に記載の方法。
【請求項１３】
前記少なくとも１つのアクセス・ネットワークＩＤは、前記アクセス・ネットワークへ前記ＵＥが接続される前に、前記アクセス・ネットワークから前記ＵＥに送信されることを特徴とする、請求項１０乃至１２の何れかに記載の方法。
【請求項１４】
前記ＵＥは、前記ＵＥを前記アクセス・ネットワークに接続する前に、前記アクセス・ネットワークが使用した少なくとも１つのアクセス・ネットワークＩＤを入手することを特徴とする、請求項１３に記載の方法。
【請求項１５】
前記アクセス・ネットワークＩＤは、少なくとも１つのフィールドを含むことを特徴とする、請求項１４に記載の方法。
【請求項１６】
前記少なくとも１つの他のネットワークは、ＰＬＭＮネットワークであることを特徴とする、請求項１０乃至１５の何れかに記載の方法。
【請求項１７】
前記少なくとも１つの他のネットワークは、ホームＰＬＭＮネットワークに接続しているローミングＰＬＭＮネットワークであることを特徴とする、請求項１０乃至１５の何れかに記載の方法。
【請求項１８】
前記アクセス・ネットワークは、ＷＬＡＮであることを特徴とする、請求項１０乃至１５の何れかに記載の方法。
【請求項１９】
前記アクセス・ネットワークＩＤは、ＩＥＥＥ８０２．１１のａまたはｂによるサービス・セット識別子に内蔵されることを特徴とする、請求項１０乃至１８の何れかに記載の方法。
【請求項２０】
前記アクセス・ネットワークＩＤは、前記少なくとも１つの他のネットワークのＰＬＭＮ  ＩＤにマッピングされることを特徴とする、請求項１０乃至１９の何れかに記載の方法。
【請求項２１】
バックボーン・ネットワークの少なくとも１つの識別子を含むアクセス・ネットワーク内で配信されるサービス・セット識別子であって、
バックボーン・ネットワーク・タイプの表示と、
サービス・セット識別子タイプのバージョン番号と、
前記バックボーン・ネットワークのＩＤと、を含むことを特徴とするサービス・セット識別子。
【請求項２２】
前記バックボーン・ネットワークが公衆陸上移動通信網である場合に、前記バックボーン・ネットワークのＩＤは、前記バックボーン・ネットワークが位置する国に対応する国コードと、前記バックボーン・ネットワークを識別するネットワーク・コードとを含むことを特徴とする、請求項２１に記載のサービス・セット識別子。
【請求項２３】
前記アクセス・ネットワークは、無線ローカル・エリア・ネットワーク（ＷＬＡＮ）であることを特徴とする、請求項２１または２２に記載のサービス・セット識別子。
【請求項２４】
アクセス・ネットワーク内で配信されるサービス・セット識別子であって、
前記アクセス・ネットワークへ接続するためのバックボーン・ネットワークの埋め込みＩＤを含むことを特徴とするサービス・セット識別子。
【請求項２５】
前記サービス・セット識別子は、所定の構造に適合することを特徴とする、請求項２４に記載のサービス・セット識別子。
【請求項２６】
前記バックボーン・ネットワークが公衆陸上移動通信網である場合に、前記バックボーン・ネットワークのＩＤは、前記バックボーン・ネットワークが位置する国に対応する国コードと、前記バックボーン・ネットワークを識別するネットワーク・コードとを含むことを特徴とする、請求項２４または２５に記載のサービス・セット識別子。
【請求項２７】
前記アクセス・ネットワークは、無線ローカル・エリア・ネットワーク（ＷＬＡＮ）であることを特徴とする、請求項２４乃至２６の何れかに記載のサービス・セット識別子。
【請求項２８】
前記要求は、前記少なくとも１つの他のネットワークまたはネットワーク・タイプのＩＤの一部としてワイルドカードを含むことを特徴とする、請求項３に記載の方法。
【請求項２９】
無線アクセス・ネットワークと、
前記無線アクセス・ネットワークを通してアクセスすることができる少なくとも１つの他のネットワークと、
前記無線アクセス・ネットワーク内に常駐するユーザ装置と、を備え、
前記少なくとも１つの他のネットワークのＩＤは、前記ユーザ装置内に格納され、前記少なくとも１つの他のネットワークのうちの少なくとも１つのネットワークのＩＤを含む前記少なくとも１つの他のネットワークのうちの１つへの接続要求が、前記ユーザ装置から前記無線アクセス・ネットワークに送信され、前記ＩＤを受信する前記無線アクセス・ネットワークに応じて、前記ユーザ装置は、前記無線アクセス・ネットワークを通して、前記識別した少なくとも１つの他のネットワークに接続され、
前記無線アクセス・ネットワークは、前記ユーザ装置が前記少なくとも１つの他のネットワークにアクセスする前に、前記少なくとも１つの他のネットワークのＩＤを提供する少なくとも１つのネットワーク識別子を前記ユーザ装置に同報通信することを特徴とするシステム。
【請求項３０】
前記少なくとも１つの他のネットワークのＩＤは、その中に格納する前に、前記無線アクセス・ネットワークから前記ユーザ装置に送信されることを特徴とする、請求項２９に記載のシステム。
【請求項３１】
前記ユーザ装置は、前記少なくとも１つの他のネットワークのうちの１つへの接続を要求する前に、前記無線アクセス・ネットワークから前記少なくとも１つのネットワークのＩＤを要求することを特徴とする、請求項２９または３０に記載のシステム。
【請求項３２】
前記少なくとも１つの他のネットワークは、ホーム・ネットワークであることを特徴とする、請求項２９乃至３１の何れかに記載のシステム。
【請求項３３】
前記少なくとも１つの他のネットワークは、ローミング・ネットワークであることを特徴とする、請求項２９乃至３１の何れかに記載のシステム。
【請求項３４】
ネットワーク・タイプを公衆陸上移動通信網として識別するフィールドと、前記少なくとも１つの公衆陸上移動通信網が位置する国コードを識別するフィールドと、接続要求が経路指示される少なくとも１つの公衆陸上移動通信網を識別するフィールドと、を含む複数のフィールドを含むサービス・セット識別子を含むことを特徴とする、請求項３３に記載のシステム。
【請求項３５】
前記少なくとも１つのネットワークのＩＤは、前記少なくとも１つの他のネットワークを公衆陸上移動通信網以外のネットワーク・タイプであると識別するＩＥＥＥ８０２．１１のａまたはｂにより前記サービス・セット識別子に内蔵されることを特徴とする、請求項３４に記載のシステム。
【請求項３６】
前記サービス・セット識別子は、前記少なくとも１つの他のネットワークのネットワーク・タイプを定義するフィールドと、前記少なくとも１つの他のネットワークを識別するフィールドとを含む複数のフィールドを含むことを特徴とする、請求項３５に記載のシステム。
【請求項３７】
無線アクセス・ネットワークと、
前記無線アクセス・ネットワークを通してアクセスすることができる少なくとも１つの他のネットワークと、
ユーザ装置と、を含み、
前記アクセス・ネットワークは、前記少なくとも１つの他のネットワークに関連する少なくとも１つのアクセス・ネットワークＩＤを含み、前記ＵＥは、前記少なくとも１つのアクセス・ネットワークＩＤから前記少なくとも１つの他のネットワークのＩＤを入手し、前記少なくとも１つの他のネットワークのＩＤは、ユーザがアクセスする前に前記ユーザ装置に同報通信されることを特徴とするシステム。
【請求項３８】
前記ユーザ装置は、前記少なくとも１つの他のネットワークとの接続を確立した場合、少なくとも１つのアクセス・ネットワークＩＤを使用することを特徴とする、請求項３７に記載のシステム。
【請求項３９】
前記アクセス・ネットワークは、前記ＵＥの接続を、前記少なくとも１つのアクセス・ネットワークＩＤに関連する少なくとも１つの他のネットワークに経路指示することを特徴とする、請求項３７または３８に記載のシステム。
【請求項４０】
前記少なくとも１つのアクセス・ネットワークＩＤは、前記アクセス・ネットワークに前記ＵＥを接続する前に、前記アクセス・ネットワークから前記ＵＥに送信されることを特徴とする、請求項３７乃至３９の何れかに記載のシステム。
【請求項４１】
前記少なくとも１つのアクセス・ネットワークＩＤは、少なくとも１つのフィールドを含むことを特徴とする、請求項３７乃至４０の何れかに記載のシステム。
【請求項４２】
前記少なくとも１つの他のネットワークは、ＰＬＭＮネットワークであることを特徴とする、請求項３７乃至４１の何れかに記載のシステム。
【請求項４３】
前記少なくとも１つの他のネットワークは、ホームＰＬＭＮネットワークに接続しているローミングＰＬＭＮネットワークであることを特徴とする、請求項３７乃至４１の何れかに記載のシステム。
【請求項４４】
前記アクセス・ネットワークはＷＬＡＮであることを特徴とする、請求項３７乃至４１の何れかに記載のシステム。
【請求項４５】
前記アクセス・ネットワークＩＤは、ＩＥＥＥ８０２．１１のａまたはｂにより、サービス・セット識別子に内蔵されることを特徴とする、請求項３７乃至４４の何れかに記載のシステム。
【請求項４６】
前記アクセス・ネットワークＩＤは、前記少なくとも１つの他のネットワークのＰＬＭＮ  ＩＤにマッピングされることを特徴とする、請求項３７乃至４１の何れかに記載のシステム。
【国際調査報告】
2006503515.tif 000003